(57)【要約】【課題】  不正アクセスからカード情報を保護することができる非接触通信媒体を提供する。【解決手段】  非接触通信用のアンテナコイル１と、情報が記録された記憶素子を含むＩＣチップ２とが、外装体に内蔵されている非接触通信媒体（ＩＣカード）Ｃ１であって、アンテナコイル１を介しての情報の通信を許容する機能と、アンテナコイル１を介しての情報の通信を禁止する機能とを、外部からの操作で選択できる切替スイッチ９を設ける。非使用時には、切替スイッチ９でアンテナコイル１を介しての情報の通信を禁止する機能を選択し、不正アクセスから記憶情報を保護する。また、使用時には、切替スイッチ９でアンテナコイル１を介しての情報の通信を許容する機能を選択し、利用者の発意に基づく情報の授受を可能とする。【選択図】        図１
2006268410.tif 000002
【特許請求の範囲】
【請求項１】
非接触通信用のアンテナコイルと、情報が記録された記憶素子を含むＩＣチップとが、外装体に内蔵されている非接触通信媒体であって、
前記アンテナコイルを介しての情報の通信を許容する機能と、前記アンテナコイルを介しての情報の通信を禁止する機能とを、外部からの操作で選択できる切替手段を備えた
ことを特徴とする非接触通信媒体。
【請求項２】
前記切替手段は、前記アンテナコイルの端子間を短絡又は開放する切替スイッチである  ことを特徴とする請求項１に記載の非接触通信媒体。
【請求項３】
前記切替スイッチは、非使用時において前記アンテナコイルの端子間を短絡させる常閉型スイッチである
ことを特徴とする請求項２に記載の非接触通信媒体。
【請求項４】
前記切替手段は、前記アンテナコイルと前記ＩＣチップとの間を電気的に遮断又は接続する切替スイッチである
ことを特徴とする請求項１に記載の非接触通信媒体。
【請求項５】
前記切替スイッチは、非使用時において前記アンテナコイルと前記ＩＣチップとの間を電気的に遮断する常開型スイッチである
ことを特徴とする請求項４に記載の非接触通信媒体。
【請求項６】
非接触通信用のアンテナコイルと、情報が記録された記憶素子及び制御回路を含むＩＣチップとを有する非接触通信媒体が、筐体内部に組み込まれた携帯機器であって、
前記アンテナコイルを介しての情報の通信を許容する第１の機能と、前記アンテナコイルを介しての情報の通信を禁止する第２の機能とを、外部からの操作で選択できる切替手段を備えた
ことを特徴とする携帯機器。
【請求項７】
前記切替手段は、外部からの押圧操作に基づいて前記制御回路へ制御信号を出力し、前記第１の機能を選択する操作スイッチである
ことを特徴とする請求項６に記載の携帯機器。
【請求項８】
前記筐体は、携帯情報端末の端末本体である
ことを特徴とする請求項６に記載の携帯機器。
【発明の詳細な説明】
【技術分野】
【０００１】
本発明は、ＲＦＩＤ（Radio Frequency Identification）技術を利用した非接触通信媒体に関し、更に詳しくは、不正アクセスからカード情報を保護することができる非接触通信媒体及び携帯情報端末等の携帯機器に関する。
【背景技術】
【０００２】
近年、非接触通信用のアンテナコイルと、情報が記録された記憶素子を含むＩＣチップとを内蔵した非接触ＩＣカードを使用して様々な情報のやり取りを電磁波による無線通信で行うＩＣカードシステムが利用されている。このようなＩＣカードシステムは、交通機関の改札システム、高速道路の自動車料金徴収システム、電子決済、工場における製品管理システム等に広く応用されている。
【０００３】
この種の非接触ＩＣカード（以下単に「ＩＣカード」ともいう）は、リーダ／ライタからの特定周波数の発振電波にアンテナコイルを結合させ電磁誘導の原理を利用してＩＣチップに対する情報の読出し／書込みを行うようにしている。従って、ＩＣカードとリーダ／ライタとの相対距離が近くなると、カード情報に自由にアクセスすることができるようになる。
【０００４】
特に近年においては、個人情報が記録されるＩＣカードの需要が非常に高まっている。このようにＩＣカードの需要が高まるにつれて、ハード面であるカード情報読取機（リーダ／ライタ）も軽量・高性能化し、これにより巧妙な不正アクセスが可能となって個人情報の読み盗られが容易に行われてしまう。
【０００５】
そこで、下記特許文献１には、非接触ＩＣカードを不正アクセスから保護するための不正アクセス防護機能を備えたＩＣカードホルダーが開示されている。このカードホルダーは、平面内で渦巻き状に巻回された導電性の巻線と、この巻線を支持する絶縁性の支持体と、上記巻線の短絡／開放状態を切り替える切替手段とを備えている。
【０００６】
そして、上記巻線に対向配置されるように収納されたＩＣカードの通信機能を、上記切替手段による巻線の短絡／開放状態の切替操作によって制御するようにしており、カード非使用時には巻線端部を短絡状態に保持することによりＩＣカードの通信を阻害して、外部からの不正アクセスに対してカード情報を保護する。また、カード使用時は巻線端部を開放状態に切替操作することによってＩＣカードの通信機能を確保する。
【０００７】
これにより、カード所有者がアクセスしたい時のみＩＣカードを通信可能状態とし、それ以外の状態においてはＩＣカードとの通信を阻害して不正アクセスからカード情報を守ることにより、ＩＣカードの高いセキュリティを実現している。
【０００８】
【特許文献１】特開２００４−３４８５００号公報
【発明の開示】
【発明が解決しようとする課題】
【０００９】
上記特許文献１に記載の不正アクセス防護機能は、短絡状態にある巻線をＩＣカードのアンテナコイルに対向配置して磁気的に結合させ、ＩＣカードへのアクセスに必要な共振周波数にズレ（シフト）を生じさせることにより、ＩＣカードとリーダ／ライタとの間の通信を阻害するようにしたものである。
【００１０】
ところが、リーダ／ライタの発振パワーが大きかったり、予めシフトさせた周波数で電波が発振された場合には、リーダ／ライタとＩＣカードとの間で通信が確立してしまい、カード情報が読み盗られてしまうことになる。
【００１１】
また、ＩＣカードをカードホルダに収納して携帯しない場合等においては、不正アクセスからカード情報を保護することが不可能となる。例えば近年、携帯電話等の携帯情報端末にＩＣカード機能を有する非接触通信媒体を組み込んで買い物等が行えるシステムが拡がりつつあることに伴って、端末内部に組み込まれた非接触通信媒体に対する不正アクセス対策の重要性が増している。
【００１２】
本発明は上述の問題に鑑みてなされ、不正アクセス防護機能を備えたカードホルダー等を必要とすることなく、記憶情報を保護することができる非接触通信媒体及び携帯機器を提供することを課題とする。
【課題を解決するための手段】
【００１３】
以上の課題を解決するに当たり、本発明は、非接触通信用のアンテナコイルと、情報が記録された記憶素子を含むＩＣチップとが、外装体に内蔵されている非接触通信媒体であって、アンテナコイルを介しての情報の通信を許容する機能と、アンテナコイルを介しての情報の通信を禁止する機能とを、外部からの操作で選択できる切替手段を備えている。
【００１４】
この構成により、非使用時には、上記切替手段でアンテナコイルを介しての情報の通信を禁止する機能を選択し、不正アクセスから記憶情報を保護する。また、使用時には、上記切替手段でアンテナコイルを介しての情報の通信を許容する機能を選択し、利用者の発意に基づく情報の授受を可能とする。
【００１５】
切替手段としては、アンテナコイルの端子間を短絡又は開放する切替スイッチで構成することができる。この場合、当該切替スイッチは、非使用時においてアンテナコイルの端子間を短絡させる常閉型のスイッチで構成することにより、利用後のスイッチ戻し忘れを防止できる。
【００１６】
切替手段の他の構成としては、アンテナコイルとＩＣチップとの間を電気的に遮断又は接続する切替スイッチで構成することができる。この場合、当該切替スイッチは、非使用時においてアンテナコイルとＩＣチップとの間を電気的に遮断する常開型のスイッチで構成することにより、利用後のスイッチ戻し忘れを防止できる。
【００１７】
一方、上述のように非接触通信媒体を物理的に通信不可能な状態に切り替える構成に代えて、当該非接触通信媒体を電子的に通信不能な状態に切り替える構成を適用することも可能である。この場合、上記切替手段は、外部からの押圧操作に基づいてＩＣチップ内の制御回路へ制御信号を出力し、アンテナコイルを介しての情報の通信を許容する機能を選択する操作スイッチで構成することができる。このような構成例は、非接触通信媒体を筐体内部に組み込んだ携帯情報端末等の携帯機器に好適である。
【発明の効果】
【００１８】
以上述べたように、本発明によれば、非利用時において非接触通信媒体自体を通信禁止状態に切り替えておくことができるので、不正アクセス防護機能を備えたカードホルダー等に収容せずとも、有効に記憶情報を保護することができる。
【発明を実施するための最良の形態】
【００１９】
以下、本発明の各実施の形態について図面を参照して説明する。
【００２０】
（第１の実施の形態）
図１及び図２は本発明の第１の実施の形態を示している。ここで、図１は本発明の非接触通信媒体の一具体例である非接触ＩＣカード（以下単に「ＩＣカード」という）Ｃ１の機能ブロック図、図２ＡはＩＣカードＣ１の全体図、図２Ｂ及び図２Ｃはその要部断面図である。
【００２１】
本実施の形態のＩＣカードＣ１は、非接触通信用のアンテナコイル１と、このアンテナコイル１に電気的に接続されたＩＣチップ２とを、外装体８に内蔵することによって構成されている。ＩＣカードＣ１は、非接触で外部と情報の授受を行う機能を有するものであれば全て適用可能であり、例えば、表面に接触端子を具備したハイブリッドカードやデュアルインターフェースカード（コンビネーションカード）というような接触／非接触ＩＣカード等も含まれる。
【００２２】
アンテナコイル１は、絶縁性フィルムあるいはリジッド基板の上にループ状にパターニングされた銅又はアルミニウム等の導体パターンで構成され、ＩＣチップは当該絶縁性基板の上に実装されている。上記導体パターンはまた、アンテナコイル１と並列的に絶縁性基板上に実装されるコンデンサ３の回路パターンを形成しており、これらアンテナコイル１とコンデンサ３とによりＬＣ共振回路を構成している。
【００２３】
ＩＣチップ２は、電源／アナログブロック５とデジタルブロック６とメモリ７とで構成されている。電源／アナログブロック５は、アンテナコイル１で受信した電波から電源電圧を抽出する回路と、アンテナコイル１で送受信されるアナログ信号を処理する回路とを含んでいる。デジタルブロック６は、アンテナコイル１で送受信されるデータをデジタル信号で処理するブロックである。そしてメモリ７は、不揮発性メモリ等で構成され、カード情報として記録されている個人情報や秘匿性情報が格納されている。なお整流用ダイオード４は、電源／アナログブロック５の中に組み込まれていてもよい。
【００２４】
外装体８は、ＩＣカードＣ１の外装面を形成している。外装体８としては、アンテナコイル１及びＩＣチップ２を内包した表裏一対のプラスチック製カード外装シートやモールド樹脂成形体等が該当する。また、外装体８の内面側にアンテナコイル１等の導体パターンを直接形成してもよく、この場合は当該外装体が上記絶縁性基板として機能する。
【００２５】
そして、本実施の形態のＩＣカードＣ１には、アンテナコイル１及びコンデンサ３と並列的に切替スイッチ９が設けられている。切替スイッチ９は本発明に係る「切替手段」に対応し、アンテナコイル１を介しての情報の通信を許容する機能と、アンテナコイル１を介しての情報の通信を禁止する機能とを、外部からの操作で選択できるように構成されている。
【００２６】
切替スイッチ９は、アンテナコイル１の端子間を短絡又は開放するスイッチで、非使用時においてアンテナコイル１の端子間を短絡させる常閉型スイッチで構成されており、使用時は切替スイッチ９を押下操作することで切替スイッチ９を開成し通信を可能とする。切替スイッチ９の取付位置は特に制限されないが、図２Ａに示したようにＩＣカードＣ１の一側縁部に設けたり、ＩＣカードＣ１の主面上に設けることができる。
【００２７】
切替スイッチ９の一構成例を図２Ｂに示す。切替スイッチ９には、支持体１１に形成された接点１０Ａ，１０Ｂ間を電気的に接続する環状の導体層１２を有している。図２Ｂは、基体１３との間に設けられたバネ部材１４の付勢力を受けて導体層１２が接点１０Ａ，１０Ｂに接触した状態を示しており、図２Ｃは、バネ部材１４の付勢力に抗して切替スイッチ９を押し下げ、導体層１２を接点１０Ａ，１０Ｂから離した状態を示している。
【００２８】
図２Ａに示す非使用状態において、切替スイッチ９は接点１０Ａ，１０Ｂ間を電気的に接続してアンテナコイル１の両端子間の短絡状態を維持する。そして、カード所有者の意思でＩＣカードＣ１を使用する際、所有者が手動で切替スイッチ９を押し下げ、図２Ｃに示したように接点１０Ａ，１０Ｂ間の短絡状態を解除する。これにより、リーダ／ライタとＩＣカードＣ１との間の通信が可能となる。
【００２９】
以上のように構成される本実施の形態のＩＣカードＣ１においては、切替スイッチ９を押下操作した時のみ（カード所有者がアクセスしたい時のみ）、ＩＣカードＣ１とリーダ／ライタ間におけるアンテナコイル１を介しての情報の通信が可能となり、それ以外の状態においては、ＩＣカードＣ１の通信機能を物理的に不可能な状態にして第三者による不正アクセスからカード情報を守ることができる。
【００３０】
これにより、ＩＣカードＣ１の高いセキュリティを実現でき、上記特許文献１に開示されているような不正アクセス防護機能を備えたカードホルダー等に収容せずとも、カード単体で確実にカード情報を保護することができる。
【００３１】
また、切替スイッチ９を常閉型のスイッチで構成したので、通信可能状態から通信不可能状態へのスイッチの戻し忘れを回避でき、カード情報のセキュリティ上の信頼性を確保することができる。
【００３２】
（第２の実施の形態）
図３〜図５は本発明の第２の実施の形態を示している。ここで、図３は本実施の形態のＩＣカードＣ２の機能ブロック図、図４はアンテナコイル１が形成される絶縁性基板１７の平面図、図５Ａ，Ｂは切替スイッチ１６の周辺構成を示す要部平面図及び側断面図である。なお、図において上述の第１実施形態と対応する部分については同一の符号を付し、その詳細な説明は省略するものとする。
【００３３】
本実施の形態のＩＣカードＣ２においては、アンテナコイル１を介しての情報の通信を許容する機能とアンテナコイル１を介しての情報の通信を禁止する機能とを選択的に切り替える切替手段として、アンテナコイル１の一端側とＩＣチップ２との間を電気的に遮断又は接続する切替スイッチ１６が設けられている。この切替スイッチ１６は、非使用時においてアンテナコイル１の一端側とＩＣチップ２との間を電気的に遮断する常開型スイッチで構成されており、使用時は、切替スイッチ１６を押下操作することで切替スイッチ１６を閉成し通信を可能とする。
【００３４】
切替スイッチ１６の取付位置は特に制限されないが、図４に示したように、ＩＣカードＣ２の主面上に設けることができる。本実施の形態では、アンテナコイル１及びＩＣチップ２が搭載された絶縁性基板１７上に接点１８Ａ，１８Ｂを形成し、これら接点１８Ａ，１８Ｂを電気的に接続又は遮断するように、切替スイッチ１６を例えば図５Ｂに示したように構成する。この例において切替スイッチ１６は、一方の接点１８Ａに接続され、他方の接点１８Ｂに対向する弾性変形可能なドーム状の金属板１６ａと、この金属板１６ａを被覆し外装体８の表面に臨むゴム等の弾性材でなるスイッチ本体１６ｂとを備えている。
【００３５】
図示する非使用状態において切替スイッチ１６は、接点１８Ａと接点１８Ｂの接続を解除してアンテナコイル１の一端側とＩＣチップ２との間を遮断し、アンテナコイル１を介しての情報の通信を物理的に不可能とする。そして、カード所有者の意思でＩＣカードＣ２を使用する際、所有者が手動で切替スイッチ１６を押し下げることにより、接点１８Ａ，１８Ｂ間を電気的に接続し、リーダ／ライタとＩＣカードＣ１との間の通信を可能とする。
【００３６】
以上のように構成される本実施の形態のＩＣカードＣ２においては、切替スイッチ１６を押下操作した時のみ（カード所有者がアクセスしたい時のみ）、ＩＣカードＣ２とリーダ／ライタ間におけるアンテナコイル１を介しての情報の通信が可能となり、それ以外の状態においては、ＩＣカードＣ２の通信機能を物理的に不可能な状態にして第三者による不正アクセスからカード情報を守ることができる。
【００３７】
これにより、ＩＣカードＣ２の高いセキュリティを実現でき、上記特許文献１に開示されているような不正アクセス防護機能を備えたカードホルダー等に収容せずとも、カード単体で確実にカード情報を保護することができる。
【００３８】
また、切替スイッチ１６を常開型のスイッチで構成したので、通信可能状態から通信不可能状態へのスイッチの戻し忘れを回避でき、カード情報のセキュリティ上の信頼性を確保することができる。
【００３９】
（第３の実施の形態）
図６及び図７は本発明の第３の実施の形態を示している。ここで、図６はＲＦＩＤ機能を備えた携帯情報端末２１の全体斜視図、図７は携帯情報端末２１の内部の機能ブロック図である。
【００４０】
携帯情報端末２１は、例えば携帯型電話機やＰＤＡ（Personal Digital Assistants ）として構成されており、合成樹脂材料製の機器本体（筐体）２２と、この機器本体２２に対して矢印Ｒ方向に回動可能に取り付けられたパネル部２３とを備えている。
【００４１】
機器本体２２は略矩形状をなし、一方の主面（操作面）にテンキー、通話ボタン、電源ボタン等の各種押しボタンからなる入力部２２ａと、音声が入力され入力された音声を電気信号に変換するマイクロフォン２２ｂとが設けられ、また、背面にはＲＦＩＤシステムに基づいた送受信部等を構成するアンテナモジュール（非接触通信媒体）２２ｃが設けられている。アンテナモジュール２２ｃは、その通信面を機器本体２２の背面側に向けて配置されている。また、機器本体２２の後端部には、携帯情報端末２１の電源となるバッテリパック２４が挿入されるバッテリ挿入口２２ｄが設けられている。
【００４２】
一方、パネル部２３には、ＬＣＤ（Liquid Crystal Display）、有機ＥＬ（Electro Luminescence）ディスプレイ等で構成された表示部２３ａと、電気信号を再生音に変換するスピーカ２３ｂとが設けられている。なお、このパネル部２３の前端側には、基地局と通信を行うための通信アンテナ３１（図７）が設けられている。
【００４３】
次に、以上のように構成される携帯情報端末２１の詳細について図７を参照して説明する。
【００４４】
図７に示すように携帯情報端末２１は、基地局と通信を行う通信アンテナ３１に接続された送受信部３２と、この送受信部３２に接続され通話やデータ通信時の変復調処理等を行うＤＳＰ（Digital Signal Processor）３３と、通話時等において受信した音声データをデジタル信号からアナログ信号に変換後スピーカ２３ｂに出力し、又はマイクロフォン２２ｂから入力された音声データをアナログ信号からデジタル信号に変換する音声処理部３４と、制御プログラム等が格納されたＲＯＭ（Read Only Memory）３５と、ＲＯＭ３５に格納された制御プログラム等がロードされるＲＡＭ（Random Access Memory）３６と、全体の動作を制御するシステムコントローラ３７とを備えている。
【００４５】
送受信部３２は、送信時、ＤＳＰ３３から入力された音声データに対して周波数変換処理等を施し、その結果得られた音声データを、通信アンテナ３１を介して基地局へ送信する。また、送受信部３２は、受信時、通信アンテナ３１で受信されたＲＦ信号を増幅して周波数変換等の処理を施し、得られたデータをＤＳＰ３３に出力する。
【００４６】
ＤＳＰ３３は、送受信部３２より入力された例えばスペクトラム拡散されている音声データをデコードし、デコードした音声データを音声処理部３４に出力する。また、ＤＳＰ３３は、音声処理部３４より入力された音声データをスペクトラム拡散し、送受信部３２に出力する。
【００４７】
音声処理部３４は、マイクロフォン２２ｂにより集音されたユーザーの音声に対応した電気信号をアナログ信号からデジタル信号に変換し、ＤＳＰ３３に出力する。また、音声処理部３４は、ＤＳＰ３３から入力された音声データをデジタル信号からアナログ信号に変換してスピーカ２３ｂに出力する。
【００４８】
システムコントローラ３７は、入力部２２ａから入力された操作信号に基づいてＲＯＭ３５から読み出したプログラムをＲＡＭ３６にロードし演算を行い、動作状況等を表示部２３ａに出力するとともに、ＤＳＰ３３に制御データ等を出力する。
【００４９】
このシステムコントローラ３７には、更に、ＲＦＩＤ回路部３８を具備するアンテナモジュール２２ｃが接続されている。このアンテナモジュール２２ｃは、具体的に、外部のリーダ／ライタによってデータの書き込み又は読み出しが行われる非接触ＩＣカード機能を有している。
【００５０】
アンテナモジュール２２ｃは、外部のリーダ／ライタと通信を行うための導線がループ状に巻回されたアンテナコイル１と、このアンテナコイル１と並列に接続されたコンデンサ３とを有し、アンテナコイル１とコンデンサ３とは並列共振回路を構成している。そして、リーダ／ライタのアンテナコイルとアンテナモジュール２２ｃのアンテナコイル１とが誘導結合することによって、リーダ／ライタとアンテナモジュール２２ｃとの間でデータの送受信が行われる。
【００５１】
ＲＦＩＤ回路部３８は、上述の第１，第２の実施形態におけるＩＣチップ２に相当するブロックであり、アンテナコイル１から供給された電気信号を整流平滑化する整流回路、整流回路から出力された電気信号を安定した直流電力に変換するレギュレータ、整流回路から出力された電気信号の高域成分を抽出するハイパスフィルタ、ハイパスフィルタから入力された高周波成分の信号を復調する復調回路、復調回路から供給されるデータに対応してデータの書き込み及び読み出しを制御するシーケンサ、復調回路から供給されるデータを記憶するメモリ、送信するデータを変調する変調回路等の各種制御回路で構成されている。
【００５２】
更に本実施の形態において、システムコントローラ３７には、アンテナモジュール２２ｃのアンテナコイル１を介しての情報の通信を許容する機能（第１の機能）と、アンテナコイル１を介しての情報の通信を禁止する機能（第２の機能）とを、外部からの操作で選択できる切替スイッチ４０が接続されている。
【００５３】
切替スイッチ４０は、本発明の「切替手段」に対応し、外部からの押圧操作に基づいてシステムコントローラ３７からＲＦＩＤ回路部３８内の所定の制御端子へ制御信号を出力させ、ＲＦＩＤ回路部３８における非接触データ通信に必要な処理を電子的に制限する。本実施の形態では、当該切替スイッチ４０をユーザーが押圧操作しているときのみ、アンテナモジュール２２ｃの通信動作を許容する機能（上記第１の機能）が選択されるようになっている。
【００５４】
システムコントローラ３７からの制御信号が入力される制御端子としては、ＲＦＩＤ回路部３８内の、例えば図１に示したデジタルブロック６に相当する制御回路部（例えば上記シーケンサ等）に設けられる。また、図７において一点鎖線で示したように切替スイッチ４０で直接ＲＦＩＤ回路部３８（制御端子）を制御することもできる。
【００５５】
切替スイッチ４０としては、例えば機器本体２２の入力部２２ａの一部のキー（例えば＃（シャープ）キー）と兼用させてもよいし、図６に示したように機器本体２２の外面側に別途専用のスイッチ４０を設けてもよい。
【００５６】
以上のように構成される本実施の形態の携帯情報端末２１においては、切替スイッチ４０を押圧操作しながら機器本体２１を外部のリーダ／ライタにかざすことにより、所定の情報のやり取りが行われる。システムコントローラ３７は、切替スイッチ４０の押圧操作を検出し、これに基づいてＲＦＩＤ回路部３８を制御する。
【００５７】
従って本実施の形態によれば、切替スイッチ４０を押圧操作した時のみ、アンテナモジュール２２ｃと外部のリーダ／ライタ間における通信が可能となり、それ以外の状態においては、アンテナモジュール２２ｃの通信機能を電子的に不可能な状態にして、第三者による不正アクセスから記憶情報を保護することができる。
【００５８】
特に本実施の形態によれば、切替スイッチ４０を押圧操作している間のみアンテナモジュール２２ｃの通信を可能なように構成されているので、非使用時における記憶情報のセキュリティを確実に保護することができる。
【００５９】
以上、本発明の各実施の形態について説明したが、勿論、本発明はこれらに限定されることなく、本発明の技術的思想に基づいて種々の変形が可能である。
【００６０】
例えば以上の第１，第２の実施形態では、非接触通信媒体として規格化されたカードサイズの非接触ＩＣカードを例に挙げて説明したが、形状、大きさ等はこれに限らず、製品管理用途等に用いられる小型のタグ形態のものにも、本発明は適用可能である。
【００６１】
また、切替スイッチ９，１６は押下操作する形態のものに限らず、例えばスライド式のスイッチを適用することも可能である。この場合も、当該スイッチに初期位置（通信を禁止する位置）に自動的に復帰できるように、バネ等の付勢部材を介装させるのが好適である。
【００６２】
また、以上の第３の実施の形態では、非接触ＩＣカード機能（タグ機能）付きの携帯情報端末２１を例に挙げて説明したが、アンテナモジュール２２ｃにタグ機能だけでなくリーダ／ライタ機能をも持たせることも可能であり、当該携帯情報端末で他のＩＣカード情報の読出し／書込み操作を行えるようにしてもよい。この場合、例えば切替スイッチ４０を押圧操作している間のみ非接触ＩＣカード機能（タグ機能）として外部リーダ／ライタとの通信を可能とし、切替スイッチ４０を押圧操作していないときはリーダ／ライタ機能として動作させる等の使い方ができる。また、アンテナコイル１はタグ用およびリーダ／ライタ用で兼用してもよいし、それぞれ別個に設けてもよい。
【００６３】
更に、以上の第３の実施の形態では、本発明に係る携帯機器として携帯情報端末２１を例に挙げて説明したが、これに限らず、例えば非接触ＩＣカード機能（タグ機能）を備えた携帯型オーディオプレーヤや携帯型ゲーム機等にも本発明は適用可能である。
【図面の簡単な説明】
【００６４】
【図１】本発明の第１の実施の形態によるＩＣカードＣ１の機能ブロック図である。
【図２】ＩＣカードＣ１に設けられる切替スイッチ９の概略説明図であり、ＡはＩＣカードＣ１の平面図、Ｂは切替スイッチ９の非動作状態を示す要部断面図、Ｃは切替スイッチ９の動作状態を示す要部断面図である。
【図３】本発明の第２の実施の形態によるＩＣカードＣ２の機能ブロック図である。
【図４】アンテナコイル１及びＩＣチップ２が搭載される絶縁性基板１７の概略平面図である。
【図５】切替スイッチ１６の概略構成図であり、Ａは要部平面図、Ｂは要部側断面図である。
【図６】本発明の第３の実施の形態による携帯情報端末２１の全体斜視図である。
【図７】携帯情報端末２１の機能ブロック図である。
【符号の説明】
【００６５】
１…アンテナコイル、２…ＩＣチップ、３…コンデンサ、８…外装体、９，１６，４０…切替スイッチ、２１…携帯情報端末（携帯機器）、２２…機器本体（筐体）、２２ａ…入力部、２２ｃ…アンテナモジュール（非接触通信媒体）、３７…システムコントローラ、３８…ＲＦＩＤ回路部、Ｃ１，Ｃ２…ＩＣカード。
【図１】
2006268410.tif 000003
【図２】
2006268410.tif 000004
【図３】
2006268410.tif 000005
【図４】
2006268410.tif 000006
【図５】
2006268410.tif 000007
【図６】
2006268410.tif 000008
【図７】
2006268410.tif 000009